(57)【要約】【課題】降雨によるりん除去の悪化を容易かつ定量的に予測出来るりん除去装置を提供する。【解決手段】下水が流入する第１沈殿池と、この第１沈殿池によって処理された下水が流入する嫌気槽と好気槽とを有する生物反応槽と、この生物反応槽からの下水が流入する第２沈殿池とを具備するりん除去装置において、前記第一沈殿池に流入した下水の水質を測定する水温計、全窒素計及びｐＨ計と、りん除去装置の処理区域内に設けられた降雨量計と、前記水温計、全窒素計、ｐＨ計及び降雨量計の測定データに基づいて酢酸濃度を演算するとともに、降雨によって希釈される前記酢酸濃度が所定の濃度に達するに必要な回復期間を降雨影響指数として演算する演算装置を備えている。【選択図】        図１
2005000893.tif 000002
【特許請求の範囲】
【請求項１】
下水が流入する第１沈殿池と、
この第１沈殿池によって処理された下水が流入する嫌気槽と好気槽とを有する生物反応槽と、
この生物反応槽からの下水が流入する第２沈殿池と
を具備するりん除去装置において、
前記第一沈殿池に流入した下水の水質を測定する水温計、全窒素計及びｐＨ計と、りん除去装置の処理区域内に設けられた降雨量計と、前記水温計、全窒素計、ｐＨ計及び降雨量計の測定データに基づいて酢酸濃度を演算するとともに、降雨によって希釈される前記酢酸濃度が所定の濃度に達するに必要な回復期間を降雨影響指数として演算する演算装置を備えたことを特徴とするりん除去装置。
【請求項２】
降雨影響指数は積算降雨量の対数であることを特徴とする請求項１記載のりん除去装置。
【請求項３】
回復期間は前記第１沈殿池に流入する酢酸の濃度が所定の濃度に達するまでの期間であることを特徴とする請求項１記載のりん除去装置。
【請求項４】
前記所定の濃度は２０〜２５ｍｇ／ｌであることを特徴とする請求項３記載のりん除去装置。
【発明の詳細な説明】
【０００１】
【発明の属する技術分野】
本発明は、下水処理場におけるりん除去装置に関し、酢酸濃度を演算するとともに、降雨によって低下したりん除去率が回復するまでの期間を降雨影響指数として演算するようにしたりん除去装置に関するものである。
【０００２】
【従来の技術】
閉鎖性水域の富栄養化を防止するため，窒素・りんを除去対象とした下水高度処理の導入が進んでいる。
図１４は、従来より一般に使用されている嫌気−好気活性汚泥法によるりん除去装置の構成説明図である。
図において、１は下水Ａが流入する第１沈殿池である。
２は嫌気槽３と好気槽４とを有する生物反応槽であり、第１沈殿池１によって処理された下水Ａが流入する。
【０００３】
５は生物反応槽２によって処理された下水Ａが流入する第２沈殿池であり、この沈殿池での処理水Ｂが河川などに放流される。
６は第２沈殿池５と嫌気槽３とを連通し、返送汚泥Ｃを送る返送汚泥管であ
る。なお、第２沈殿池５の余剰汚泥Ｄは、外部に排出される。
【０００４】
７は第１沈殿池１に設けられた第１全りん計、８は第２沈殿池５に設けられた第２全りん計、９は、装置の処理区域内に近くに設けられた降雨量計、１１は流入下水Ａの水温を測定する水温計である。
上記第１全りん計７、第２全りん計８、降雨量計９および水温計１１の測定結果は監視室Ｅの監視盤Ｅ１で監視される。
【０００５】
上述のような、嫌気−好気活性汚泥法は，嫌気槽によってりん除去を行う微生物を優先的に増殖させ，その微生物の持つりんの放出と過剰摂取の性質を利用して、りん除去を行うものである。
【０００６】
その他、下水の脱りん方法の従来例としては、特開２０００−２１３０５７号公報が知られている。ここに記載された下水の脱りん方法は、
有機酸を添加する添加タイミング１として、処理水のりん濃度が、目標濃度を２４時間以上の時間として予め定めた設定時間ａを経過する前に超えると予想された場合、連続的に添加する。但し上記予測が解消されたとき、または添加を開始してから設定時間ｂを経過したとき、のいずれかの時点で添加を停止する。
有機酸を添加する添加タイミング２として、過去のデータより統計的にりん除去が悪化すると予測される期間ｄ中は連続的に添加する。というものである。
【０００７】
また、下水の脱りん方法の従来例としては、特開２００１−３８３８０号公報が知られている。ここに示された技術は、時間降雨量に応じて、嫌気槽へメタノール等の有機物を注入したり、最初沈殿池の運転池数を削減したり、凝集剤を注入するなどの対応を行うというものである。
また、特開平１１−１６９８８５号公報には、所定時間内の総雨量ならびにＤＯ、ＯＲＰを指標として凝集剤を注入する方法が示されている。
【０００８】
【発明が解決しようとする課題】
嫌気−好気活性汚泥法は優れた処理方法であるが，以下のような問題
点がある。
（１）降雨があるとりん除去性能が低下する。
【０００９】
（２）降雨が終わったあともしばらくの間は，りん除去性能が回復しない。
現状においては、降雨後のりん除去性能の悪化は、処理水のりん濃度で確認している。従って，降雨後などにおいては対策が後手になり、りんの規制値を超過する恐れがあった。
【００１０】
図１５は降雨量と流入酢酸および処理水の関係について示す実処理場における実験結果である。
【００１１】
図１５において、横軸Ｘは日付、左縦軸Ｙは降雨量（ｍｍ）および酢酸濃度（ｍｇ／ｌ）を表し、また、右縦軸Ｙは全りん濃度（ｍｇ／Ｌ）を表わし、Ｆは流入水全りん濃度、Ｇは有機酸の代表的な物質である流入酢酸濃度、Ｈは処理水全りん濃度、Ｉは降雨量を表わしている。
【００１２】
図１５のＡの時点に着目すると、降雨の多いときは酢酸が通常レベルまで回復するのに時間がかかっていることがわかる。即ち、降雨後は流入酢酸濃度が０ｍｇ／ｌまで低下しており、その後しばらくは処理水のりん濃度が上昇（りんの除去性能が悪化）している。
【００１３】
また、Ｂで示す時点でも降雨があった後は流入酢酸濃度が０ｍｇ／ｌまで低下し、その後しばらくは処理水のりん濃度が上昇していることが分かる。このＢ点では、降雨が少ないときは酢酸の回復が早く、りん除去が良好で、処理水全りん濃度も低いことを示してる。このように、りん除去性能を判断するためには、酢酸などの有機酸濃度の回復と流入りん濃度の監視が重要である。
【００１４】
また、流入酢酸濃度と処理水のりん濃度の関係は酢酸濃度が約２０ｍｇ／ｌ以上になると処理水のりん濃度が低下（処理性能が上昇）することが分かる。
上記のように，りんの除去性能を判断するためには，酢酸濃度の回復と流入
りん濃度の監視が重要である。
【００１５】
大量の降雨があり、処理水がりんの規制値を超過する恐れがある場合、凝集剤の注入などの対策が考えられるが、投入する凝集剤の量や注入するタイミングが難しく、安全を考慮した場合、薬品の過剰注入になる可能性がある。
【００１６】
また、特開２００１−３８３８０号公報に示された、時間降雨量に応じて嫌気槽へメタノール等を注入するなどの方法は、時間当たりの降雨量に応じて、有機物の注入や運転池数の削減を行うものであるが、降雨後において、時間降雨量だけの指標では有機物の注入や沈殿池の運転を適切に行うことは困難である。
【００１７】
また、特開平１１−１６９８８５号公報に示された、所定時間内の総降雨量ＳＲｔならびにＤＯ、ＯＲＰを指標として凝集剤を注入する方法は、注入開始の判断方法や凝集剤の注入継続時間について示されたもので、継続時間は総降雨量判定値ＳＲ２を設けて、ＳＲｔ＜ＳＲ２の場合を継続時間Ｔ２ｎとし、ＳＲｔ≧ＳＲ２の場合を継続時間Ｔ３ｎとして、ともに５日以内の継続時間を設定している。しかし、降雨後の時間経過に伴うりん除去能力の回復程度はわからず、継続時間の設定も５日以内と記されるにとどまるという問題がある。
【００１８】
いずれの引用例も降雨後におけるりん除去の対応については、判定の指標に乏しく、適切な運転を適切な期間行うことが困難である。注入の停止が早すぎると、りん除去の悪化を招く恐れがあり、注入の停止が遅すぎると、過剰注入になり薬品代等の損失につながる。このように、降雨時だけでなく降雨後の判断指標も重要であるが、現在では降雨後の明確な指標がなく経験や勘に頼っているのが実状である。
【００１９】
【特許文献１】
特開２０００−２１３０５７号公報
【００２０】
【特許文献２】
特開２００１−３８３８０号公報
【００２１】
【特許文献３】
特開平１１−１６９８８５号公報
【００２２】
本発明の目的は、上記の課題を解決するもので、降雨等によりりん除去性能が悪化し、規制値を超過する恐れのある場合に、降雨影響指数を演算し、りん除去に関連のある他の指標と組み合わせることで、りん除去能力を容易かつ定量的に予測出来るりん除去装置を提供することを目的としている。
【００２３】
【課題を解決するための手段】
本発明は上記課題を解決するためになされたもので、請求項１のりん除去装置においては、
下水が流入する第１沈殿池と、
この第１沈殿池によって処理された下水が流入する嫌気槽と好気槽とを有する生物反応槽と、
この生物反応槽からの下水が流入する第２沈殿池と
を具備するりん除去装置において、
前記第一沈殿池に流入した下水の水質を測定する水温計、全窒素計及びｐＨ計と、りん除去装置の処理区域内に設けられた降雨量計と、前記水温計、全窒素計、ｐＨ計及び降雨量計の測定データに基づいて酢酸濃度を演算するとともに、降雨によって希釈される前記酢酸濃度が所定の濃度に達するに必要な回復期間を降雨影響指数として演算する演算装置を備えたことを特徴とする。
【００２４】
請求項２においては、請求項１記載のりん除去装置において、
降雨影響指数は積算降雨量の対数であることを特徴とする。
【００２５】
請求項３においては、請求項１記載のりん除去装置において、
回復期間は前記第１沈殿池に流入する酢酸の濃度が所定の濃度に達するまでの期間であることを特徴とする。
【００２６】
請求項４においては、請求項３記載のりん除去装置において、
所定の濃度は２０〜２５ｍｇ／ｌであることを特徴とする。
【００２７】
【発明の実施の形態】
以下図面を用いて本発明を詳細に説明する。
図１は本発明の一実施例の要部構成説明図である。図において、図１４に示す従来例と同一機能を有するものは同一記号を付している。
以下、図１４と相違部分のみ説明する。
【００２８】
２０は第１沈殿池１の出口に設けられたｐＨ計、２１は全窒素全りん計である。２２は監視室であり、監視盤２３及び第１表示装置２４が設置されている。２５は水質分析室であり、演算装置２６及び第２表示装置２７が設置されている。
【００２９】
監視盤２３及び演算装置２６には全窒素計２１、ｐＨ計２０、降雨量計９、水温計１１及び第２りん計８からの信号が入力され、監視盤２２では各々の信号が表示される。
【００３０】
図２は演算装置２５における酢酸演算のための入力信号の処理フローを示すものである。処理フローに従って説明する。
演算開始のステップ（１）として酢酸予測に用いるオンライン計測値（水温，流入全窒素，ｐＨ，降雨量のデータ）が入力される。
【００３１】
ステップ（２）において、降雨量から積算降雨影響指数を算出する。
即ち、降雨量データから積算降雨量を算出し、更にその積算降雨量を変数変換して降雨影響指数を演算する。
以下、降雨影響指数について説明する。
【００３２】
図３は、酢酸濃度（Ｘ軸）と処理水全りん濃度（Ｙ軸）の関係を示す図である。図に示すように、ばらつきはあるものの概ね２０〜２５ｍｇ／ｌ程度の酢酸濃度があれば処理水全りん濃度が１ｍｇ／ｌとなり、水質基準を満足する良好なりんの処理ができることがわかる。即ち、りん除去性能を判断するためには、有機酸濃度の回復の監視が重要であり、良好にりん除去を行うためには、概ね２０ｍｇ／ｌ程度以上の酢酸濃度が必要である。
【００３３】
図４は２００１年８月１３日〜１２月１２日の間の１回の降雨の積算降雨量（Ｘ軸）と酢酸濃度２０ｍｇ／ｌまでの回復日数（Ｙ軸）を整理した結果を示す図である。積算降雨量の対数と酢酸濃度２０ｍｇ／ｌまでの回復日数との間には、良好な相関が見られる。
つまり、降雨が多いほど、酢酸濃度の回復は遅く、その関係は、概ね以下の式で表わすことができた。
【００３４】
酢酸２０ｍｇ／ｌまでの回復日数［日］＝１．４６×ｌｏｇ（積算降雨量）−１．３９（ｌｏｇの底はｅ（自然対数）・・・図４のグラフから求まる相関式）
酢酸濃度が２０ｍｇ／ｌまで回復する期間は、りん除去に有効な酢酸が少なく、高濃度のりんが流入すると流入りんを十分に処理できない可能性が高い。本発明では、このりんが処理できない可能性のある酢酸２０ｍｇ／ｌまでの回復期間を「降雨影響指数」で表わす。
【００３５】
次に、時間経過とともに変化する降雨影響指数の具体的な演算方法の一例を示す。この演算処理は１時間に１回行う（降雨量などのオンラインデータは一時間ごとのデータで表示・記録されることが多い）ものとする。
現在時間ｔにおける積算降雨量Ａｔは、下記のように表記できる。
【００３６】
積算降雨量Ａｔ＝時間降雨量Ｂｔ＋積算降雨量Ａｔ−１・・・（１）
ここで、（ｔ−１）は、１時間前の値である。
また、降雨影響指数Ｃｔは、前記より以下のようになる。
降雨影響指数Ｃｔ＝ａ１×ｌｏｇ（積算降雨量Ａｔ）＋ｂ  ・・・    （２）
（ａ１，ｂ：定数・・・処理場毎に異なる）
【００３７】
図５は降雨影響指数の演算方法の説明図であり、降雨の状況に応じた演算処理のマトリックスを示すものである。条件は「降雨継続中」、「降雨開始」、「降雨後」、「降雨なし」の４種類である。
「降雨継続中」と「降雨開始」は、前記（１）、（２）式によって、降雨影響指数Ｃｔを算出する。
【００３８】
「降雨後」は、降雨影響指数を一定速度で減少させる。
降雨影響指数Ｃｔ＝降雨影響指数（Ｃｔ−１）−１／２４・・・（３）
ここで、降雨影響指数は、もともと回復日数であるため、１時間ごとの減少を１／２４時間とした。また、降雨後は演算処理に積算降雨量を用いていないが、たとえば断続的な降雨を想定すると数時間後に降雨が再開するような場合も多くある。
【００３９】
そこで、降雨後は次式のように降雨影響指数Ｃｔから、積算降雨量Ａｔを逆算して、仮の値として演算装置に記憶させた。
積算降雨量Ａｔ＝ｅ｛（降雨影響指数Ａｔ−ｂ）／ａ１｝・・・（４）
この結果、降雨再開時でも前回の積算降雨量を加味した降雨影響指数を算出することができる。
最後に、「降雨なし」の時は、演算を行わないものとする。
【００４０】
図６は、これらの演算によって得られた時間降雨量ｂ（Ｙ軸）と経過時間（Ｘ軸）と降雨影響指数ａの関係を示すもので、降雨が多いほど降雨影響指数が高く、その影響が数日に渡ることを示している。
図７，８は２００１年９月１〜１０月３１までの降雨影響指数ａ（Ｙ軸）と流入水全りん濃度ｑおよび処理水全りん濃度ｐ（Ｙ軸）の経時変化を示す図である。りん除去悪化はいくつかの要因が関連しているため単純に説明することはできないが、本発明で演算した降雨影響指数はりん除去悪化の期間を概ね表わしており、りん除去能力を説明する１つの指標として利用が可能である。
【００４１】
降雨影響指数を計算する上で、係数は処理場ごとに異なる。上述した実施例中の係数は実験を行った処理場における一例である。ただし、式（２）に示した積算降雨量の対数を用いるという考え方は、他の処理場でも広く利用することができる。前記では統計的に式を求めたが、物理的な現象からも式（２）は理に適っているといえる。以下にこの式の考え方について示す。
【００４２】
管渠内の堆積汚泥が酢酸の生成源であるため、堆積汚泥がなければ酢酸の生成ができない。管渠内の堆積汚泥量の変化要因は主に以下の２つと考えられる。
１．堆積汚泥量の減少：降雨によるフラッシュアウト
２．堆積汚泥量の増加：処理区域内からの汚泥負荷の流入
【００４３】
図９は積算降雨量と管渠内の堆積汚泥量の関係を示す概念図である。
この概念図は少雨のときは降雨量にほぼ比例して管渠内に堆積した汚泥が流されるのに対し、降雨量がある一定値に達すると管渠内の汚泥はほとんどすべてフラッシュアウト（Ｚ点）され、一定値を超過した降雨量分は堆積汚泥がないため何ら影響を及ぼさないことを示している。
【００４４】
この曲線は対数で表わすことができ、積算降雨量がＸ２の場合、降雨後の堆積汚泥量Ｓ２は概ね下記のように示すことができる。
堆積汚泥量Ｓ２＝ｋ１・ｌｏｇ（積算降雨量Ｘ２）＋ｋ２・・・（５）
ここで、ｋ１、ｋ２は定数である。
【００４５】
また、酢酸２０ｍｇ／ｌを生成するために必要な堆積汚泥量をＳ１とする。酢酸２０ｍｇ／ｌを生成するために不足している汚泥量ΔＳはΔＳ＝Ｓ１−Ｓ２である。
【００４６】
一方、堆積汚泥量は、処理区域内の汚泥負荷の流入によって増加する。管渠へ流入し、堆積する１日当たりの汚泥量をＳｄとすれば、酢酸２０ｍｇ／ｌまで回復するために必要な日数Ｄ２０は下記のように表わすことができる。
【００４７】
2005000893.tif 000003
（６）式に（５）式を代入すると
Ｄ２０＝（Ｓ１−ｋ１・ｌｏｇ（積算降雨量Ｘ２）  −ｋ２）／Ｓｄ・・・（７）
酢酸２０ｍｇ／ｌを生成するために必要な汚泥量Ｓ１、１日当たりに堆積する汚泥量Ｓｄは、ほぼ水温が一定の期間であれば、定数とみなせる。
【００４８】
したがって、
Ｄ２０＝（ｋ３−ｋ１・ｌｏｇ（積算降雨量Ｘ２）  −ｋ２）／ｋ４・・・（８）
（ｋ３、ｋ４は定数）
定数をあらたに書き直すと
Ｄ２０＝ｋ５・ｌｏｇ（積算降雨量Ｘ２）＋ｋ６・・・（９）
（ｋ５、ｋ６は定数）
以上のように統計的に求めた、積算降雨量の対数を用いるという考え方は、（９）式に示すように物理的に考えても一致し、他の処理場においても広く利用できることを示唆している。
【００４９】
図２に戻り、
ステップ（３）において、水質試験における酢酸の手分析データを入力する。
【００５０】
ステップ（４）において、酢酸手分析データの入力の有無をみる。
なお、手分析データはコンポジットサンプルではなくスポットサンプルを用いる。この手分析データを５〜６０データほど入力する。
ステップ（５）において、上述の（１），（２），（３）のステップで得た値に基づいて多変量解析を行なう。
【００５１】
ステップ（６）において、酢酸の予測式を作成し、式の更新を行なう。
以下に多変量解析で得られた結果と、予測式の一例を示す。
多変量解析結果  寄与率  Ｒ２＝０．８３
酢酸濃度の予測式は、以下のとおりである。
【００５２】
Ｙ＝０．８９０ｘ１＋０．８７８ｘ２−２２．５ｘ３−０．６９９ｘ４＋１４３．１
ここで、ｘ１は流入下水の全窒素    ｘ２は流入下水の水温ｘ３は流入下水のｐＨ      ｘ４は降雨量の影響指数
【００５３】
ステップ（７）において、酢酸の予測値（濃度）を演算する。なお、ステップ（４）において、手分析データがなかった場合は上述の（１），（２）のステップで得た値のみを用いて酢酸の予測値（濃度）を演算する。
【００５４】
図１１はＡ下水処理場における酢酸の実測値と予測値を示す図であり、横軸に測定日、縦軸に酢酸濃度（ｍｇ／ｌ）を示している。なお、解析に用いた酢酸の手分析値は平日における１日１回のデータと通日試験における２時間おきの１２回のデータを過去３ヶ月間分入力した結果である。
図によれば、酢酸の実測値（イで示す線）と酢酸予測値（ロで示す線）がほぼ一致していることが分かる。
【００５５】
図１２は同様にしてＢ下水処理場における酢酸の実測値と予測値を示す図であり、横軸に測定日、縦軸に酢酸濃度（ｍｇ／ｌ）を示している。図によれば、図１１に示す場合と同様、酢酸の実測値（イで示す線）と酢酸予測値（ロで示す線）がほぼ一致していることが分かる。
【００５６】
ステップ（８）において、図１０は流入酢酸濃度と流入りん濃度から警報レベルを決定するための概念図であり、横軸に酢酸濃度、縦軸に流入全りん濃度を示している。
図１０において、流入酢酸濃度及び流入全りん濃度をレベル１〜レベル５まで設定する。例えば流入酢酸濃度は０〜５，５〜１０，１０〜２０，２０〜３０，３０ｍｇ／ｌ以上の５段階とし、流入全りん濃度は０〜１，１〜２，２〜３，３〜４，４ｍｇ／ｌ以上の５段階とする。
【００５７】
ここでは、図示のように流入全りん濃度、流入酢酸濃度との関係から警報レベルを０レベルを警報解除として４段階に設定する。即ち、酢酸濃度が低く流入全りん濃度が高い場合には警報レベルは高くなり、酢酸濃度が高く流入全りん濃度が低い場合には警報レベルは低くなって警報解除となる。
【００５８】
このような設定は処理場ごとに変化するものであり、例えば積算降雨量が２０ｍｍ未満の場合は警報レベルを一段階下げ、積算降雨量が１００ｍｍ以上の場合は警報レベルを一段階上げる。また、降雨が１ヶ月なかった場合は警報レベルを下げ、冬季に積算降雨量が２０ｍｍを超えた場合には流入全りん濃度に関係なくすぐにレベル２の警報を発するなど、処理場ごとの特性を反映させることによってより確度の高い警報を発することができる。
【００５９】
図１３は図１に示す監視室２２と水質分析室２５内に配置される表示装置２４及び２７表示内容を示すもので、横軸に日付、縦軸に降雨量、流入全りん、処理全りん及び本発明により演算した流入酢酸の予測値を示すものである。１０／１４日時点では流入酢酸の予測値が２ｍｇ／ｌ、流入全りんが３．５ｍｇ／ｌで、メッセージとしてりん除去悪化警報レベルが３であることを示している。
【００６０】
なお、以上の説明は、本発明の説明および例示を目的として特定の好適な実施例を示したに過ぎない。例えば嫌気−好気活性汚泥法の代わりに嫌気−無酸素−好気法など嫌気槽を含む生物学的りん除去法であれば良い。また、計器は全窒素計の代わりにＵＶ計などで有機物濃度を測定しても良い。したがって本発明は、上記実施例に限定されることなく、その本質から逸脱しない範囲で更に多くの変更、変形をも含むものである。
【００６１】
【発明の効果】
以上説明したように、本発明の請求項１によれば、下水が流入する第１沈殿池と、この第１沈殿池によって処理された下水が流入する嫌気槽と好気槽とを有する生物反応槽と、この生物反応槽からの下水が流入する第２沈殿池とを具備するりん除去装置において、前記第一沈殿池に流入した下水の水質を測定する水温計、全窒素計及びｐＨ計と、りん除去装置の処理区域内に設けられた降雨量計と、前記水温計、全窒素計、ｐＨ計及び降雨量計の測定データに基づいて酢酸濃度を演算するとともに、降雨によって希釈される前記酢酸濃度が所定の濃度に達するに必要な回復期間を降雨影響指数として演算する演算装置を備えたので、次のような効果がある。
【００６２】
（１）これまで、りん除去の悪化は経験や勘によって予測されてきたが、本装置では、既存の計器を利用して酢酸濃度や降雨影響指数を演算することにより容易かつ定量的な予測が可能なりん除去装置を実現することができる。
（２）その結果、りんの除去の悪化に対して、凝集剤を適切に注入するなどの対応が可能なりん除去装置が得られる。
【００６３】
（３）本装置では、酢酸を直接測定する計器が不要なので、装置全体を安価に構成することができる。
（４）本装置は、演算処理をプログラミングできる計算機があれば良く、既存のパソコン等を利用した監視装置に容易に組み込むことが出来る。
（５）また、流入全りんと流入酢酸の関係から警報レベルを設定したので適切な量の凝集剤や有機源を注入するなどの対策が立てやすいという効果がある。
【００６４】
【図面の簡単な説明】
【図１】本発明の実施形態の一例を示す要部構成説明図である。
【図２】図１に示す演算装置の演算フローを示す説明図である。
【図３】酢酸濃度（Ｘ軸）と処理水全りん濃度（Ｙ軸）の関係を示す図である。
【図４】積算降雨量と酢酸濃度２０ｍｇ／ｌまでの回復日数を示す図である。
【図５】降雨影響指数の演算方法の説明図である。
【図６】時間降雨量と経過時間と降雨影響指数の関係を示す図である。
【図７】降雨影響指数と流入水全りん濃度および処理水全りん濃度の経時変化を示す図である。
【図８】降雨影響指数と流入水全りん濃度および処理水全りん濃度の経時変化を示す図である。
【図９】降雨量と管渠内の堆積汚泥量の関係を示す概念図である。
【図１０】流入りん濃度と酢酸濃度に基づく警報レベルの説明図である。図である。
【図１１】下水処理場における実験結果を示す図である。
【図１２】下水処理場における実験結果を示す図であ
【図１３】表示装置の表示例を示す説明図である。
【図１４】りん除去装置の従来例を示す要部構成図である。
【図１５】降雨量と流入酢酸および処理水の関係について示す図である。
【符号の説明】
１      第１沈殿池
２      生物反応槽
３      嫌気槽
４      好気槽
５      第２沈殿池
６      返送汚泥管
８      第２全りん計
９      降雨量計
１１    水温計
２０    ｐＨ計
２１    全窒素全りん計
２２    監視室
２３    監視盤
２４，２７    表示装置
２５    水質分析室
２６    演算装置
Ａ      流入下水
Ｂ      処理水
Ｃ      返送汚泥
Ｄ      余剰汚泥
【図１】
2005000893.tif 000004
【図２】
2005000893.tif 000005
【図３】
2005000893.tif 000006
【図４】
2005000893.tif 000007
【図５】
2005000893.tif 000008
【図６】
2005000893.tif 000009
【図７】
2005000893.tif 000010
【図８】
2005000893.tif 000011
【図９】
2005000893.tif 000012
【図１０】
2005000893.tif 000013
【図１１】
2005000893.tif 000014
【図１２】
2005000893.tif 000015
【図１３】
2005000893.tif 000016
【図１４】
2005000893.tif 000017
【図１５】
2005000893.tif 000018